(57)【特許請求の範囲】
【請求項１】
互いに外周形状の異なる第１の電池と第２の電池とを選択的に収容するための電池収容装置であって、
前記各電池を電極軸方向に挿入する挿入口を有し、前記第１の電池の外周形状に略対応する内周形状を有する収容ボックス部と、
前記収容ボックス部の挿入口を閉蓋する電池蓋と、
前記収容ボックス部の前記電池蓋と対向する内壁部に設けられ、前記各電池の電極部と接触する電極部と、
前記収容ボックス部により、当該収容ボックス部の第１の内壁面より略直立した状態から当該第１の内壁面に沿って折り畳んだ状態まで回転可能に保持され、前記第２の電池が収容された状態において当該第２の電池を離間して配置する凸部を有する仕切り部材と、
前記第1の内壁面と対向する面に、前記各電池の挿入方向からみて前記凸部と略対向する位置に設けられ、少なくとも前記第２の電池の挿入をガイドする突起部と、を有し、
前記第２の電池が収容されるとき、前記仕切り部材は、前記収容ボックス部の内壁面より略直立した状態で前記収容ボックス部の内壁面と前記第２の電池の間に位置するとともに前記凸部は前記第２の電池の間に位置され、
前記第１の電池が収容されるとき、前記仕切り部材は、前記収容ボックス部の内壁面に沿って折り畳まれた状態で前記収容ボックス部の内壁面と前記第２の電池の間に位置することを特徴とする電池収容装置。
【請求項２】
互いに外周形状の異なる第１の電池と第２の電池とを選択的に収容するための電池収容装置であって、
前記各電池を電極軸方向に挿入する挿入口を有し、前記第１の電池の外周形状に略対応する内周形状を有する収容ボックス部と、
前記収容ボックス部の挿入口を閉蓋する電池蓋と、
前記収容ボックス部の前記電池蓋と対向する内壁部に設けられ、前記各電池の電極部と接触する電極部と、
前記収容ボックス部により、当該収容ボックス部の第１の内壁面より略直立した状態から当該第１の内壁面に沿って折り畳んだ状態まで回転可能に保持され、前記第２の電池が収容された状態において当該第２の電池を離間して配置する凸部を有する仕切り部材と、
前記仕切り部材を、前記収容ボックス部の第１の内壁面より略直立した状態から前記収容ボックス部の第１の内壁面に沿って折り畳んだ状態まで回転可能に支持する支持機構と、
前記支持機構によって支持された仕切り部材を前記収容ボックス部の第１の内壁面より略直立した状態となる方向に付勢する付勢部材と、
前記第1の内壁面と対向する面に、前記各電池の挿入方向からみて前記凸部と略対向する位置に設けられ、少なくとも前記第２の電池の挿入をガイドする突起部と、を有し、
前記第２の電池が収容されるとき、前記仕切り部材は、前記収容ボックス部の内壁面より略直立した状態で前記収容ボックス部の内壁面と前記第２の電池の間に位置するとともに前記凸部は前記第２の電池の間に位置され、
前記第１の電池が収容されるとき、前記仕切り部材は、前記収容ボックス部の内壁面に沿って折り畳まれた状態で前記収容ボックス部の内壁面と前記第２の電池の間に位置することを特徴とする電池収容装置。
【請求項３】
前記支持機構は、前記仕切り部材の基端部を支持する枢軸を含むヒンジ機構であり、前記付勢部材は、前記枢軸に装着され、前記仕切り部材と収容ボックス部との間に掛け渡された捩りコイルバネであることを特徴とする請求項２記載の電池収容装置。
【請求項４】
前記第１の電池が略直方体状の外周形状を有する電池であるとともに、前記第２の電池が略円柱状の外周形状を有する電池であり、
前記収容ボックス部は、１本の第１の電池の外周形状に対応する内周形状を有するとともに、２本の第２の電池を平行に配置して収容するスペースを有し、
前記仕切り部材は、平行に配置された２本の第２の電池の外周形状に対応する２つの円弧部を有し、前記各円弧部によって２本の第２の電池を位置決めすることを特徴とする請求項１記載の電池収容装置。
【請求項５】
前記突起部は、前記第１の電池および前記第２の電池の各電池の挿入をガイドする突起部であることを特徴とする請求項１記載の電池収容装置。
【請求項６】
前記収容ボックス部に設けた電極部のうち、前記第１の電池に対する電極部は、前記第２の電池を収容ボックス部に収容した状態で、当該第２の電池との接触を避ける位置に配置されていることを特徴とする請求項１記載の電池収容装置。
【請求項７】
電池を電源として駆動し、前記電池を収容する電池収容装置を有する電子機器において、
前記電池収容装置は、互いに外周形状の異なる第１の電池と第２の電池とを選択的に収容可能であるとともに、
前記各電池を電極軸方向に挿入する挿入口を有し、前記第１の電池の外周形状に略対応する内周形状を有する収容ボックス部と、
前記収容ボックス部の挿入口を閉蓋する電池蓋と、
前記収容ボックス部の前記電池蓋と対向する内壁部に設けられ、前記各電池の電極部と接触する電極部と、
前記収容ボックス部により、当該収容ボックス部の第１の内壁面より略直立した状態から当該第１の内壁面に沿って折り畳んだ状態まで回転可能に保持され、前記第２の電池が収容された状態において前記第２の電池を離間して配置する凸部を有する仕切り部材と、
前記第1の内壁面と対向する面に、前記各電池の挿入方向からみて前記凸部と略対向する位置に設けられ、少なくとも前記第２の電池の挿入をガイドする突起部と、を有し、
前記第２の電池が収容されるとき、前記仕切り部材は、前記収容ボックス部の内壁面より略直立した状態で前記収容ボックス部の内壁面と前記第２の電池の間に位置するとともに前記凸部は前記第２の電池の間に位置され、
前記第１の電池が収容されるとき、前記仕切り部材は、前記収容ボックス部の内壁面に沿って折り畳まれた状態で前記収容ボックス部の内壁面と前記第２の電池の間に位置することを特徴とする電子機器。
【発明の詳細な説明】
【０００１】
【発明の属する技術分野】
本発明は、各種電子機器に設けられる電池収容部において、互いに外周形状の異なる第１の電池と第２の電池とを選択的に収容するための電池収容装置及び、この電池収容装置を備えた電子機器に関するものである。
【０００２】
【従来の技術】
従来より、例えばヘッドホンステレオやビデオカメラ装置等のように、携帯型の各種電子機器においては、電源電池を収容するための電池収容部が設けられている。
また、このような電子機器に用いられる電源電池としては、各種のものが用いられており、例えば単３型乾電池と角型２次電池とを併用できるものも提供されている。
【０００３】
一般に、単３型乾電池は、どこでも入手が容易であり、手軽に電池交換を行える便利さがある。一方、角型２次電池は、専用の充電器を用いることにより、繰り返し充電して使用できる利点がある。
そして、このような単３型乾電池と角型２次電池とを使い分けるための構造としては、従来よりアダプタを用いる方法が知られている。
【０００４】
図６は、従来の単３型乾電池用のアダプタの例を示す斜視図である。
このアダプタ１０は、１本の単３型乾電池を収容する電池収容部１２と、この電池収容部１２を開閉する蓋１４とを有し、取付けネジ１６によって電子機器の本体装置（図６では省略）に取り付けられ、電極接点１８Ａ、１８Ｂを介して本体装置と電気的に接続されるようになっている。
また、角型２次電池を用いる場合には、取付けネジ１６の操作によってアダプタ１０を他の専用アダプタと付け替えるようになっている。
【０００５】
【発明が解決しようとする課題】
しかしながら、上述のようなアダプタを用いる方法では、アダプタを本体装置に着脱するために、取付けネジの操作が必要となり、作業が煩雑となる問題がある。また、使用しないアダプタは、本体装置とは別に管理する必要があるため、アダプタを紛失してしまう場合があった。
そこで、上述のようなアダプタを使用することなく、単３型乾電池と角型２次電池とを使い分ける構造として、図７に示すような構造の電池収容部２０を有するものが知られている。
【０００６】
この電池収容部２０は、１本の単３型乾電池と１枚の平板型２次電池とを選択的に収容できるようにしたものであり、単３型乾電池を収容可能な円柱形の収容孔２０Ａを設けるとともに、この収容孔２０Ａの両側内壁部に、単３型乾電池の直径より幅広の平板型２次電池を挿入できる溝部２０Ｂを設けたものである。
このような電池収容部２０では、図７（Ｂ）に示すように、溝部２０Ｂに合わせて平板型２次電池２２を挿着でき、また、図７（Ｃ）に示すように、円柱形の収容孔２０Ａに合わせて単３型乾電池２４を挿着できるため、アダプタの交換等を行うことなく、電池の種類を変更することができる。
【０００７】
しかしながら、上述のように１本の単３型乾電池と１枚の平板型２次電池とを併用する場合には、図７に示すような構造を用いることができるが、例えば２本の単３型乾電池とそれより大きい角型２次電池とを併用するような場合には、図７に示すような構造を用いることができないという問題があった。
そこで、本発明の目的は、互いに外周形状の異なる電池を容易に収容することができる電池収容装置及び、この電池収容装置を備えた電子機器を提供することにある。
【０００８】
【課題を解決するための手段】
前記目的を達成するため、本発明の電池収容装置は、互いに外周形状の異なる第１の電池と第２の電池とを選択的に収容するための電池収容装置であって、各電池を電極軸方向に挿入する挿入口を有し、第１の電池の外周形状に略対応する内周形状を有する収容ボックス部と、その収容ボックス部の挿入口を閉蓋する電池蓋と、収容ボックス部の電池蓋と対向する内壁部に設けられ、各電池の電極部と接触する電極部と、収容ボックス部により、その収容ボックス部の第１の内壁面より略直立した状態から第１の内壁面に沿って折り畳んだ状態まで回転可能に保持され、第２の電池が収容された状態において第２の電池を離間して配置する凸部を有する仕切り部材と、第1の内壁面と対向する面に、各電池の挿入方向からみて凸部と略対向する位置に設けられ、少なくとも第２の電池の挿入をガイドする突起部と、を有し、第２の電池が収容されるとき、仕切り部材は、収容ボックス部の内壁面より略直立した状態で収容ボックス部の内壁面と第２の電池の間に位置するとともに凸部は第２の電池の間に位置され、第１の電池が収容されるとき、仕切り部材は、収容ボックス部の内壁面に沿って折り畳まれた状態で収容ボックス部の内壁面と第２の電池の間に位置することを特徴とする。
また、本発明の電池収容装置は、互いに外周形状の異なる第１の電池と第２の電池とを選択的に収容するための電池収容装置であって、各電池を電極軸方向に挿入する挿入口を有し、第１の電池の外周形状に略対応する内周形状を有する収容ボックス部と、その収容ボックス部の挿入口を閉蓋する電池蓋と、収容ボックス部の電池蓋と対向する内壁部に設けられ、各電池の電極部と接触する電極部と、収容ボックス部により、その収容ボックス部の第１の内壁面より略直立した状態から第１の内壁面に沿って折り畳んだ状態まで回転可能に保持され、第２の電池が収容された状態において第２の電池を離間して配置する凸部を有する仕切り部材と、その仕切り部材を、収容ボックス部の第１の内壁面より略直立した状態から収容ボックス部の第１の内壁面に沿って折り畳んだ状態まで回転可能に支持する支持機構と、その支持機構によって支持された仕切り部材を収容ボックス部の第１の内壁面より略直立した状態となる方向に付勢する付勢部材と、第1の内壁面と対向する面に、各電池の挿入方向からみて凸部と略対向する位置に設けられ、少なくとも第２の電池の挿入をガイドする突起部と、を有し、第２の電池が収容されるとき、仕切り部材は、収容ボックス部の内壁面より略直立した状態で収容ボックス部の内壁面と第２の電池の間に位置するとともに凸部は第２の電池の間に位置され、第１の電池が収容されるとき、仕切り部材は、収容ボックス部の内壁面に沿って折り畳まれた状態で収容ボックス部の内壁面と第２の電池の間に位置することを特徴とする。
更にまた、本発明の電子機器は、電池を電源として駆動し、電池を収容する電池収容装置を有する電子機器において、電池収容装置は、互いに外周形状の異なる第１の電池と第２の電池とを選択的に収容可能であるとともに、各電池を電極軸方向に挿入する挿入口を有し、第１の電池の外周形状に略対応する内周形状を有する収容ボックス部と、その収容ボックス部の挿入口を閉蓋する電池蓋と、収容ボックス部の電池蓋と対向する内壁部に設けられ、各電池の電極部と接触する電極部と、収容ボックス部により、その収容ボックス部の第１の内壁面より略直立した状態から第１の内壁面に沿って折り畳んだ状態まで回転可能に保持され、第２の電池が収容された状態において第２の電池を離間して配置する凸部を有する仕切り部材と、第1の内壁面と対向する面に、各電池の挿入方向からみて凸部と略対向する位置に設けられ、少なくとも第２の電池の挿入をガイドする突起部と、を有し、第２の電池が収容されるとき、仕切り部材は、収容ボックス部の内壁面より略直立した状態で収容ボックス部の内壁面と第２の電池の間に位置するとともに凸部は第２の電池の間に位置され、第１の電池が収容されるとき、仕切り部材は、収容ボックス部の内壁面に沿って折り畳まれた状態で収容ボックス部の内壁面と第２の電池の間に位置することを特徴とする。
【０００９】
本発明の電池収容装置では、第１の電池を収容ボックス部に挿入すると、仕切り部材は、第１の電池の先端部に押され、付勢部材の力に抗して支持機構を介して回転し、収容ボックス部の内周面に沿って折り畳んだ状態となる。
これにより、第１の電池全体が収容ボックス部に収容でき、また、第１の電池の電極部が収容ボックス部内の電極部に接触する。この状態で、収容ボックス部を電池蓋で閉蓋し、第１の電池を収容ボックス部内部に位置決め配置する。
また、第１の電池を収容ボックス部より抜き取る場合には、電池蓋を開放することにより、容易に抜き取ることができる。この際、折り畳まれた仕切り部材が付勢部材の力によって復帰することにより、第１の電池を押し出す方向に作用し、スムーズに抜き取ることができる。
【００１０】
また、第２の電池を収容ボックス部に挿入すると、仕切り部材が第２の電池の外周形状に対応する形状を有するため、第２の電池は仕切り部材を避ける状態で収容ボックス部で挿入される。
これにより、仕切り部材は収容ボックス部の内周面より略直立した状態で保持され、第２の電池が収容ボックス部内で仕切り部材によって位置決めされ、ガタ付きなく収容できる。
そして、第２の電池全体を収容ボックス部に収容することで、第２の電池の電極部が収容ボックス部内の電極部に接触する。そして、電池蓋を閉蓋し、第２の電池を収容ボックス部内部に位置決め配置する。
【００１１】
【発明の実施の形態】
以下、本発明による電池収容装置及び、この電池収容装置を備えた電子機器の実施の形態について説明する。
図１は、本発明による電池収容装置を適用した電池収容部の構成例を示す分解斜視図である。また、図２（Ａ）（Ｂ）は、図１に示す電池収容部に角型２次電池（第１の電池）を収容した状態を示す正断面図及び側断面図である。
また、図３（Ａ）（Ｂ）は、図１に示す電池収容部に単３型電池（第２の電池）を収容した状態を示す正断面図及び側断面図である。さらに、図４（Ａ）（Ｂ）は、図１に示す電池収容部に単３型電池を収容する際の位置決め作用を示す正断面図である。
【００１２】
図１において、本例の電池収容部は、１本の角型２次電池３０と２本の単３型電池３２とを選択的に収容して用いる構造を有するものである。
角型２次電池３０は、直方体状の電池本体３０Ａの長手方向の一方の端部に一対の電極部（陽極部と陰極部）３０Ｂを有する。そして、本例の電池収容部では、電極部３０Ｂを先頭にして角型２次電池３０を収容ボックス部４０内に挿入して収容するようになっている。
また、単３型電池３２は、円柱体状の電池本体３２Ａの軸方向の一方の端部に陽極部３２Ｂを有するとともに、他方の端部に陰極部３２Ｃを有する。そして、本例の電池収容部では、２本の単３型電池３２のうち、一方の陽極側３２Ｂ側から、他方を陰極部３２Ｃ側から収容ボックス部４０内に挿入して収容するようになっている。
【００１３】
また、本例では、角型２次電池３０は、単３型電池３２の直径より大きい厚みを有するとともに、単３型電池３２の直径の２倍以上の幅を有するものとなっている。また、角型２次電池３０の長さは、単３型電池３２がほぼ等しいものとなっている。
なお、本発明において、上述のような各電池３０、３２の電極部３０Ｂ、３２Ｂ、３２Ｃに沿う方向、すなわち本例では各電池本体３０Ａ、３２Ａの長手方向を電極軸方向というものとする。
【００１４】
また、本例の電池収容部は、電子機器に設けられる収容ボックス部４０を有する。この収容ボックス部４０は、例えば合成樹脂等よりなり、上面と一端部が開放された矩形容器状のボックス本体４０Ａと、この上面を閉蓋するカバー４０Ｂとを有する。
また、収容ボックス部４０の一端部は、前記各電池３０、３２を挿入する挿入口４２となっている。
このような収容ボックス部４０は、角型２次電池３０の外周形状に対し、幅方向には、ほぼ対応する幅を有し、厚み方向には、やや大きい厚みをもった内周形状を有する方形筒状に形成されている。
【００１５】
収容ボックス部４０の挿入口４２には、これを閉蓋する電池蓋４４が設けられている。この電池蓋４４は、カバー４０Ｂの端部にヒンジ機構４４Ａを介して設けられ、挿入口４２を開閉するものである。
また、電池蓋４４には、ロック操作片４４Ｂの操作により、挿入口４２を閉蓋した状態で、この閉蓋状態をロックするロック機構（図示せず）が設けられている。
また、ヒンジ機構４４Ａには、ねじりコイルバネ４４Ｃが設けられており、電池蓋４４を開放する方向に付勢している。
【００１６】
また、電池蓋４４の内壁面には、電池蓋４４側に配置される単３型電池３２の陽極部３２Ｂと陰極部３２Ｃとを接続する接続電極部（図示せず）が設けられている。
また、収容ボックス部４０の電池蓋４４と対向する内壁部には、上述のような各電池３０、３２の電極部３０Ｂ、３２Ｂ、３２Ｃに接触するそれぞれ一対の電極部４６Ａ、４６Ｂが設けられている。
【００１７】
角型２次電池３０用の電極部４６Ａは、ロッド状に形成され、図２に示すように、角型２次電池３０の電極部３０Ｂの孔に挿入されるようになっている。
また、単３型電池３２用の電極部４６Ｂは、板バネ状に形成され、図３に示すように、単３型電池３２の各電極部３２Ｂ、３２Ｃに接触するようになっている。
【００１８】
また、収容ボックス部４０を構成するボックス本体４０Ａの上面側の両側縁部には、各電池３０、３２の挿入方向と直交する方向に２本の支持軸（支持機構の枢軸）５０、５２が架設されており、これら支持軸５０、５２には、仕切り板（仕切り部材）５４、５６が支持されている。
支持軸５０、５２は、収容ボックス部４０を長手方向にほぼ３等分する位置に配置され、その両端部がボックス本体４０Ａの内壁部に固定されている。また、各仕切り板５４、５６は、各支持軸５０、５２に回転可能に支持されている。
【００１９】
また、ボックス本体４０Ａの内壁部には、各支持軸５０、５２の一方の端部に近接する位置に、それぞれストッパ６０、６２が設けれており、それぞれ仕切り板５４、５６の回転位置を規制するようになっている。なお、詳しくは、各仕切り板５４、５６に設けた係合片５４Ａ、５６Ａがストッパ６０、６２に係合することにより、各仕切り板５４、５６の回転位置が各電池３０、３２の挿入方向と略直交する平面上で止まるようになっている。
したがって、各仕切り板５４、５６は、各支持軸５０、５２を中心に回転し、カバー４０Ｂの内壁面に沿って延在し、ほぼ当接する位置（折り畳み位置）からボックス本体４０Ａ側にほぼ垂直に垂れ下がってストッパ６０、６２に当接する位置（直立位置）まで、約９０°の範囲で変位することができる。
【００２０】
そして、支持軸５０、５２には、各仕切り板５４、５６を直立位置側に回転付勢するねじりコイルバネ６４、６６が設けられている。すなわち、各ねじりコイルバネ６４、６６は、コイル部に支持軸５０、５２を通された状態で挿着され、一方の端部が仕切り板５４、５６の係合片５４Ａ、５６Ａに係止され、他方の端部がカバー４０Ｂの内壁面に係止されている。そして、仕切り板５４、５６にねじり力を付与し、各仕切り板５４、５６をストッパ６０、６２に当接する方向に付勢している。
【００２１】
また、以上のように支持された仕切り板５４、５６は、２つの単３型電池３２の外周形状に対応する２つの円弧部５４Ｂ、５４Ｃ、５６Ｂ、５６Ｃを有するものである。
すなわち、仕切り板５４、５６は、各電池３０、３２の挿入方向と略直交する平面上で、カバー４０Ｂの内壁面（第１の内壁面）と、この内壁面に臨む２本の単３型電池３２の外周面との間に形成される間隙部にほぼ対応する形状を有している。
【００２２】
また、仕切り板５４、５６の各円弧部５４Ｂ、５４Ｃ、５６Ｂ、５６Ｃの間には、２つの単３型電池３２を互いに離間して配置するためのセパレータ部５４Ｄ、５６Ｄが設けられている。このセパレータ部５４Ｄ、５６Ｄによって、２つの単３型電池３２が互いに離間して配置されるため、両者の接触がなくなり、ショートを防止できる。
【００２３】
また、ボックス本体４０Ａのカバー４０Ｂと反対側の内壁面には、各電池３０、３２の挿入をガイドする突起部６８が設けられている。なお、角型２次電池３０には、突起部６８が係合する溝部３０Ｃが形成されている。
また、ボックス本体４０Ａには、通電ライン等を形成するフレキシブル基板７０が設けられ、ボックス本体４０Ａとカバー４０Ｂの間隙部より収容ボックス部４０の外部に導かれ、電子機器の本体装置側に接続されるようになっている。
また、以上のような構成の電池収容部は、例えばカバー４０Ｂに設けたネジ孔７２を介して、止めネジ７４により電子機器の本体装置に固定されるようになっている。
【００２４】
次に、以上のような構成の電池収容部における電池３０、３２の挿入時の作用について説明する。
まず、角型２次電池３０を収容ボックス部４０に挿入すると、仕切り板５４、５６は、角型２次電池３０の先端部に押され、ねじりコイルバネ６４、６６の力に抗して支持軸５０、５２を中心に回転し、図２に示すように、カバー４０Ｂの内壁面に沿って延在し、折り畳んだ状態となる。
これにより、角型２次電池３０全体が収容ボックス部４０に収容でき、また、角型２次電池３０の電極部３０Ｂが収容ボックス部４０内の電極部４６Ａに接触する。この状態で、収容ボックス部４０を電池蓋４４で閉蓋し、角型２次電池３０を収容ボックス部４０内部に位置決め保持できる。
【００２５】
また、角型２次電池３０を収容ボックス部４０より抜き取る場合には、電池蓋４４を開放することにより、容易に抜き取ることができる。この際、折り畳まれた仕切り板５４、５６が付勢部材の力によって復帰することにより、角型２次電池３０を押し出す方向に作用し、スムーズに抜き取ることができる。
【００２６】
また、単３型電池３２を収容ボックス部４０に挿入すると、仕切り板５４、５６が単３型電池３２の外周形状に対応する形状を有するため、単３型電池３２は仕切り板５４、５６を避ける状態で収容ボックス部４０で挿入される。
なお、図４（Ａ）に示すように、単３型電池３２の挿入方向がずれた状態で挿入操作された場合、最初はセパレータ部５４Ｄ、５６Ｄが押されて仕切り板５４、５６が倒れた状態となるが、単３型電池３２が突起部６８に接触することにより、その挿入方向が修正されるとともに、ねじりコイルバネ６４、６６の力によって仕切り板５４、５６が直立する方向に回転変位し、円弧部５４Ａ、５４Ｂ、５６Ａ、５６Ｂによって単３型電池３２の位置が修正され、図４（Ｂ）に示すように、単３型電池３２が適正な位置に配置される。
【００２７】
これにより、単３型電池３２の電極部３２Ｂ、３２Ｃが収容ボックス部４０内の電極部４６Ｂに適正に接触できる。また、この状態で、仕切り板５４、５６が完全に直立した状態となり、単３型電池３２を収容ボックス部４０内でガタ付きなく位置決め保持できる。そして、収容ボックス部４０を電池蓋４４で閉蓋し、単３型電池３２を収容ボックス部４０内部に位置決め保持できる。
【００２８】
また、単３型電池３２を収容ボックス部４０より抜き取る場合には、電池蓋４４を開放することにより、容易に抜き取ることができる。この際、板バネ状に形成した電極部４６Ｂのバネ力が単３型電池３２を押し出す方向に作用し、スムーズに抜き取ることができる。
以上のようにして、共通の電池収容部に角型２次電池３０と単３型電池３２を容易に挿着でき、容易に交換することができる。
【００２９】
図５は、上述した電池収容装置を適用した電子機器の一例としての携帯型ビデオカメラ装置の構成例を示す斜視図である。
本例のビデオカメラ装置は、カートリッジ１００をカメラ本体２００の本体ケース２００Ａに設けた収容部２１０に挿着して、カメラ本体２００で撮影したビデオ信号をカートリッジ１００内のビデオテープに記録するようにしたものである。
カートリッジ１００は、矩形筐体に形成されており、収容部２１０は、カートリッジ１００の外周形状に対応する形状に形成されている。また、収容部２１０は、本体ケース２００Ａの一側部に開口しており、この開口部２１０Ａよりカートリッジ１００を挿入するようになっている。
【００３０】
また、開口部２１０Ａの後面側の縁部には、ヒンジ機構３００が設けられており、このヒンジ機構３００を介して開口部２１０Ａを開閉する開閉蓋３１０が設けられている。
なお、開閉蓋３１０の内側には、開口部２１０Ａの一部と係合ロックされるロック部３１０Ａが設けられており、閉蓋した開閉蓋３１０が不用意に開かないようになっている。
【００３１】
カートリッジ１００には、ビデオテープを巻回した供給側と巻取り側の各リールと、ビデオテープへの記録、再生を行う磁気ヘッドを搭載した回転ヘッドドラム機構と、ビデオテープを回転ヘッドドラムに斜めに巻回するローディング機構とを内蔵（ともに図示せず）したものである。
すなわち、本例のビデオカメラ装置では、各テープリール、回転ヘッドドラム機構、ローディング機構より構成される記録再生機構が、カートリッジ１００内に設けられており、ビデオテープへの情報の記録動作及び再生動作は、全てカートリッジ１００の内部で行われるようになっている。
【００３２】
一方、カメラ本体２００には、ビデオ撮影用の光学系やＣＣＤ等の撮像素子、さらにはカラーフィルタ等を含む撮像装置が設けられており、本体ケース２００Ａの前面部には対物レンズ２２０が配置されている。
また、本体ケース２００Ａの内部には、撮像装置による撮像信号を記録用のビデオ信号に変換するための各種処理回路等を搭載した配線基板２３０が配置されている。
【００３３】
また、カートリッジ１００の端部と本体ケース２００Ａの内部には、互いに接合されるコネクタ（図示せず）が設けられている。そして、カートリッジ１００を収容部２１０に挿着することにより、カートリッジ１００側のコネクタと本体ケース２００Ａ側のコネクタとが機械的に接続され、カートリッジ１００側の回路とカメラ本体２００側の回路とが接続される。
なお、収容部２１０には、カートリッジ１００の挿入をガイドするガイドレール（図示せず）が設けられており、このガイドレールに沿ってカートリッジ１００を挿入することにより、各コネクタ同士が接合されるようになっている。
【００３４】
そして、このようなビデオカメラ装置では、開閉蓋３１０が厚肉の板状に形成され、その内部に上述した電池収容部が設けられている。そして、開閉蓋３１０を閉じた状態で、開閉蓋３１０とビデオカメラ本体２００とに設けた接点４２０、４３０が接触し、電源部からビデオカメラ本体２００への給電ラインが接続されるようになっている。
また、ビデオカメラ本体２００側には２次電源回路を設けて、開閉蓋３１０を開いた状態でも、一定時間の電源供給を継続できるようにしている。
【００３５】
なお、本発明の電池収容装置は、上述のようなビデオカメラ装置に限らず、ヘッドホンステレオやＣＤプレーヤ等のように、他の各種携帯型電子機器の電池収容部に広く適用し得るものである。
また、以上の例では、長さの等しい電池３０、３２を収容する例について説明したが、長さの異なる電池を収容する場合には、電池ボックス部側の電極部を電池の長さ方向に変位可能に配置した電極板上に設け、この電極板を圧縮コイルスプリング等の伸縮バネ部材によって付勢することにより、電池ボックス部に収容された電池の長さに応じて電極部が変位できるようにし、電池の長さに対応させるようにしてもよい。
【００３６】
また、以上例は、電極部の形状が異なる角型２次電池３０と単３型電池３２とを併用する構造であるため、それぞれの電池３０、３２に対して異なる電極部４６Ａ、４６Ｂを設けたが、形状が共通する電極部を有する電池を併用する場合には、収容部側の電極部を共用する構造とすることも可能である。
また、以上の例は、角型２次電池３０と単３型電池３２とを併用する場合を説明したが、本発明はこれに限らず、形状の異なる各種の電池の組み合わせに対応することができ、角型２次電池以外の直方体状の電池と、単３型電池以外の円柱体状の電池とを併用する電池収容部に広く適用することができるものである。
また、例えば上述のような角型２次電池が単３型電池の２倍の長さを有する場合に、２行２列で計４本の単３型電池と１本の角型２次電池とを選択的に収容するような電池収容部を構成することも可能である。
さらに、以上の例では、仕切り部材として２つの仕切り板５４、５６を設けたが、収容ボックス部の内壁面に沿って折り畳み可能な形状であれば、必ずしも板状の部材である必要はなく、肉厚のものであってもよい。また、仕切り部材の数も２つに限らず、ガタ付きの程度等に応じて選択し得るものである。
【００３７】
また、仕切り部材の回転角度についても、上述のように９０°も回転する必要はなく、電池の形状に応じて、収容ボックス部の内壁面より突出したり、後退するように動作できる程度ものであってもよい。本発明では、このような小さい角度の動作についても折り畳み動作というものとする。
また、これに対応して、付勢部材も、ねじりコイルバネ以外のバネ部材を用いることができ、例えば収容ボックス部の内壁面と仕切り部材との間で伸縮するようなコイルバネを用いることができる。
さらに、以上の例では、仕切り板５４、５６が支持軸５０、５２に回転自在に支持された構造について説明したが、仕切り板と支持軸とが一体であるとともに、支持軸が収容ボックス部に回転自在に架設されているような構造であってもよい。
【００３８】
【発明の効果】
以上説明したように本発明の電池収容装置及び電子機器では、収容ボックス部に収容される第１の電池と第２の電池の外周形状の差を補間するための仕切り部材を設け、第１の電池を収容する場合と、第２の電池を収容する場合とで、仕切り部材が回転して変位することにより、第１の電池と第２の電池のいずれに対しても位置決め保持できるようにした。
このため、異なる外周形状の電池を共通の電池収容部に容易に収容することができ、従来のようなアダプタも不要となる。よって、電池収容部の小型化と利便性を向上できる。
【図面の簡単な説明】
【図１】  本発明による電池収容装置を適用した電池収容部の構成例を示す分解斜視図である。
【図２】  図１に示す電池収容部に角型２次電池（第１の電池）を収容した状態を示す図であり、（Ａ）は正断面図、（Ｂ）は側断面図である。
【図３】  図１に示す電池収容部に単３型電池（第２の電池）を収容した状態を示す図であり、（Ａ）は正断面図、（Ｂ）は側断面図である。
【図４】  図１に示す電池収容部に単３型電池を収容する際の位置決め作用を示す正断面図である。
【図５】  図１に示す電池収容部を利用した携帯型ビデオカメラ装置の構成例を示す斜視図である。
【図６】  従来の電池収容部の一例を示す斜視図である。
【図７】  従来の電池収容部の他の例を示す図であり、（Ａ）は斜視図、（Ｂ）は平板型２次電池を収容した状態を示す要部正面図、（Ｃ）は単３型乾電池を収容した状態を示す要部正面図である。
【図１】
0004026204.tif 000002
【図２】
0004026204.tif 000003
【図３】
0004026204.tif 000004
【図４】
0004026204.tif 000005
【図５】
0004026204.tif 000006
【図６】
0004026204.tif 000007
【図７】
0004026204.tif 000008